(57)【要約】  音響変換器（１）は、少なくとも１つの音響中立体（２）と、音響中立体と組みをなすことができ、略定型化されたファンネ状に形成されて音響中立体（２）の外側に突き出す耳介（１０ａ，１０ｂ）を形作るとともに管路を有した２つ音響伝播伝達要素（９ａ、９ｂ）と、管路と組みをなす３極のマイクロフォンカートリッジ（２５ａ，２５ｂ）とを備え、このカートリッジは、音響を取得する前部が管路の入口に近接して配置され、前記カートリッジ相互の２本のコールド極線（２９ａ，２９ｂ）が互いに逆にして配線されていることで、一方のカートリッジのコールド極線と他方のカートリッジのホット極線（２８ａ，２８ｂ）及びグランド（３０ａ，３０ｂ）とは同一のコネクタ又はソケット（３１ａ，３１ｂ）に接続されているか又は接続可能であり、そして、コネクタ又はソケットは適切な増幅及び／又は記憶及び／又は処理装置に接続されているか又は接続可能である。【選択図】図１
2010525645.tif 000002
【特許請求の範囲】
【請求項１】
少なくとも１つの音響中立体と、
該音響中立体と組みをなし、略定型化されたファンネル状に形成されて前記少なくとも１つの音響中立体の外側へ突き出す耳介を形作るとともに管路を有した２つの音響伝播要素と、
前記音響伝播要素と組みをなす３極のマイクロフォンカートリッジとを備え、
前記カートリッジは、音響を取得する前部が前記管路の入口に近接して配置され、
前記マイクロフォンカートリッジ相互の２本のコールド極線が互いに逆にして配線されていることで、一方のマイクロフォンカートリッジのコールド極線と他方のマイクロフォンカートリッジのホット極線及びグランドとは同一のコネクタ又はソケットに接続されているか又は接続可能であり、
該コネクタ又はソケットは、適切な増幅及び／又は記憶及び／又は処理装置に接続されているか又は接続可能であることを特徴とする音響変換器。
【請求項２】
少なくとも１つの音響中立体と、
該音響中立体と組みをなし、略外耳状に形成されて略耳介を形作り、前記少なくとも１つの音響中立体の外側へ突き出す２つの音響伝播要素と、
音響道領域にほぼ対応する領域にて前記音響伝播要素と組みをなす３極のマイクロフォンカートリッジと
を備え、
前記カートリッジは、音響を取得する前部が前記音響道領域の入口に近接して配置されていて、
前記マイクロフォンカートリッジの２本のコールド極線が互いに逆にして配線されていることで、
一方のマイクロフォンカートリッジのコールド極線と他方のマイクロフォンカートリッジのホット極線及びグランドとは同一のコネクタ又はソケットに接続されているか又は接続可能であり、
該コネクタ又はソケットは、適切な増幅及び／又は記憶及び／又は処理装置と接続されているか又は接続可能であることを特徴とする音響変換器。
【請求項３】
前記音響中立体は多面体形状をなし、耳領域近傍の人の頭の平均幅に略等しい幅を有していることを特徴とする請求項１又は２に記載の音響変換器。
【請求項４】
前記音響中立体は、相互に鏡対称の２つの半体から構成されていることを特徴とする請求項１〜３のいずれかに記載の音響変換器。
【請求項５】
前記音響中立体の両側面には、前記音響中立体の同一の長手軸線に沿って２つの座が形成されていることを特徴とする請求項１〜４のいずれかに記載の音響変換器。
【請求項６】
前記音響中立体は、適切に縁が面取りされた略平行六面体形状をなし、前記２つの座は、前記音響中立体の互いに平行な第１側面に形成され、該第１側面から始まっていることを特徴とする請求項１及び５に記載の音響変換器。
【請求項７】
前記２つの座は、前記音響中立体を軸線方向に貫通する単一の第１通路を形成するように接続されていることを特徴とする請求項１及び６に記載の音響変換器。
【請求項８】
前記音響中立体には、１つ以上の第２の貫通路が付加的に横切っており、該第２貫通路は前記第１通路の中央領域近傍にて前記第１通路に通じていることを特徴とする請求項１〜７のいずれかに記載の音響変換器。
【請求項９】
前記音響中立体は、その正面から入る音響をその側方領域へ案内するための手段を備えていることを特徴とする請求項１〜８のいずれかに記載の音響変換器。
【請求項１０】
前記音響中立体の正面から入る音響を前記音響中立体の側方領域へ案内する手段は、２つの第３通路によって構成されており、
前記２つの第３通路は、前記音響中立体内に形成され、前記音響中立体の正面から始まって前記音響中立体に対して横断的に存在し、前記２つの座に近接して前記音響中立体の前記側面にそれぞれ導かれていることを特徴とする請求項１および９に記載の音響変換器。
【請求項１１】
前記音響中立体は、オープンセル型のポリウレタンスポンジゴムで形成されていることを特徴とする請求項１〜１０のいずれかに記載の音響変換器。
【請求項１２】
前記音響伝播要素は、前記音響中立体の前記２つの座にそれぞれと組みをなすことを特徴とする請求項１〜１１のいずれか５に記載の音響変換器。
【請求項１３】
前記音響伝播要素は２パートのシリコーンで形成されていることを特徴とする請求項１〜１２のいずれかに記載の音響変換器。
【請求項１４】
前記音響伝播要素は、人の略外耳形状に形成されていることを特徴とする請求項１〜１３のいずれかに記載の音響変換器。
【請求項１５】
前記耳介は、人の外耳における耳介の輪郭をサイズに関して適切に増大させて得られる形状を有することを特徴とする請求項１および１４に記載の音響変換器。
【請求項１６】
前記耳介は、人の外耳の輪郭に関して、耳たぶの長さを増加し且つ耳輪と対耳輪の領域を上方へ延ばすことによって得られる形状を有することを特徴とする請求項１および１４に記載の音響変換器。
【請求項１７】
前記耳介の前記耳たぶは、耳介の縦方向長さの略３分の１の長さを有し、前記耳輪と前記対耳輪は適切な涙型の形状を有していることを特徴とする請求項１および１６に記載の音響変換器。
【請求項１８】
使用中、音響中立体の外側を向く前記耳介の内壁は、隣接する複数の凹面および凸面によって構成され、これら凹面および凸面は前記耳介の外周領域から底部に音響を伝播させるべく適合されていることを特徴とする請求項１〜１７のいずれかに記載の音響変換器。
【請求項１９】
前記耳介の外壁から突き出し、使用中、音響中立体に向けられる基部と、
前記基部に形成され、使用中、音響中立体に向けられた平坦面と、
前記平坦面からほぼ直角に突き出す管状要素
とを備え、
前記管状要素は、横断面でみて前記座に対して略相補的な形状をなしに、前記座の１つに挿入して固定されることを特徴とする請求項１〜１８のいずれかに記載の音響変換器。
【請求項２０】
前記２つの座及び前記管状要素は、横断面でみて略円形であることを特徴とする請求項１および１９に記載の音響変換器。
【請求項２１】
好適には円筒状をなす管路は、前記耳介の底部から始まって前記基部を通過し、前記管状要素を軸線方向に貫通して得られていることを特徴とする請求項１〜２０のいずれかに記載の音響変換器。
【請求項２２】
前記音響伝播要素は、接続手段によって相互作用することを特徴とする請求項１〜２１のいずれかに記載の音響変換器。
【請求項２３】
前記接続手段は、音を吸収しない材料からなるリングで構成されていることを特徴とする請求項１および２２に記載の音響変換器。
【請求項２４】
前記リングは、前記音響中立体の前記両側面、前記正面及び後面の部分を取り巻くようにして配置可能な形状をなしていることを特徴とする請求項１および２３に記載の音響変換器。
【請求項２５】
前記リングには２つの第１孔が形成されており、これら第１孔は使用中、記音響中立体の前記２つの座と対向する位置にあり、前記２つの座内への前記管状要素の挿入を可能とする形状及び寸法を有することを特徴とする請求項１および２４に記載の音響変換器。
【請求項２６】
前記リングには２つの第２孔が形成されており、これら第２孔は使用中、前記音響中立体における前記側面に設けられた前記第２通路の出口に対向する位置にあり、前記第２通路の出口よりも大きいか又は同じくらいの寸法を有していることを特徴とする請求項１〜２５のいずれかに記載の音響変換器。
【請求項２７】
前記リングには２つの第３孔が形成されており、これら第３孔は使用中、前記音響中立体の前記正面に設けられた前記第２通路の入口に対向する位置にあり、前記第２通路の入口よりも大きいか又は同じくらいの寸法を有していることを特徴とする請求項１〜２６のいずれかに記載の音響変換器。
【請求項２８】
前記リングは、使用中、前記音響伝播要素における前記基部の前記平坦面と前記音響中立体の前記側面との間に挟み込まれていることを特徴とする請求項１〜２７のいずれかに記載の音響変換器。
【請求項２９】
前記マイクロフォンカートリッジの前記前部は、前記管路の入口に近接して配置されているか、又は前記耳介の内方へ部分的に変位していることを特徴とする請求項１〜２８のいずれかに記載の音響変換器。
【請求項３０】
前記各マイクロフォンカートリッジは、カージオイドタイプの極パターンを有するとともに、「ファントム」として知られたタイプの電源供給を受け、
前記各マイクロフォンカートリッジは３極ケーブルを有し、これら３極ケーブルはそのマイクロフォンカートリッジから延出するとともに、「ホット極線」を構成する第１線と、「コールド極線」を構成する第２線と、「グランド」を構成する第３線とを含み、
前記３極ケーブルが前記第２通路を通って前記音響中立体から出ていることを特徴とする請求項１〜２９のいずれかに記載の音響変換器。
【発明の詳細な説明】
【技術分野】
【０００１】
本発明は、音響変換器に関するものである。
【背景技術】
【０００２】
音響録音と再生のためのシステムは、「ステレオシステム」と称され、公知であり、２以上のマイクを用いて音響を取得することにある。このマイクは音源に対し適切な位置に配置されている。これらのマイクは音響を複数の電気信号に変換する。この後、これらの電気信号は適切な増幅及び／又は録音装置に送られる。この装置は信号を適切に増幅、記憶及び／又は処理するように構成され、２個の付加的且つ別個の信号を生成する。これらの信号は２個の別個のスピーカへとそれぞれ送られる。スピーカを適切に配置することによって、感覚的に優れた音響を得ることが可能となる。この音響は、三次元の実際の音響を部分的に再現している。
【０００３】
しかしながら、この公知のタイプの録音システムは欠点を有している。実際、再生された音は十分な三次元性を有するものとして受け取られないし、よくてもせいぜい音響が左右に移動する感覚を得ることができるくらいである。実際の音との対応性は、スピーカとリスナーの相互の位置によって決まる。
【０００４】
それゆえ、公知のタイプの録音及び再生システムは例えばリスナーの周囲及び／又は上方を移動する音源の影響を現実的に再生するには不適当である。
【０００５】
録音及び再生システムはまた、ドルビーサラウンド（商標）として称され、音響技術者の方にて、予め録音されたオーディオ信号の編集を提供する。この後、このオーディオ信号は、適切な電子装置の助けを借りて複数の多重周波数帯（一般的には５又は７個の周波数帯に、低い周波数のための付加的な周波数帯を加えたもの）に分割される。この電子装置は例えばミキサー及び／又はコンピュータ等である。これら周波数帯は、適切、一般的には部屋の角近くにそれぞれ配置されたスピーカへ送られるべく意図したものであり、これらスピーカは部屋内にて使用され、リスナーの前方にある。
【０００６】
公知のタイプの音響録音及び再生システムはまた、ユーザの回りを移動する音源の影響を再現可能としているが、この音源の移動が常に水平面上にて生じてしまうという制約を受ける。
【０００７】
それゆえ、公知のタイプの録音及び再生システムでさえ、以下の欠点を有している。リスナーの上方を移動する音源の感覚をリスナーに伝達することができないことに加え、リスナーの周囲を移動する音源の感覚を得るためには、少なくとも５つのスピーカを有することが必要である。それゆえ、この感覚は、ヘッドホン又はイヤホンを使用する携帯用の再生機器では得ることができない。
【０００８】
その上に、再生中、良い結果を達成するために、スピーカが配置された部屋は正方形又は長方形の平面形状を有していなければならない。このことは公知のタイプのシステムの適用可能範囲を制限する。
【０００９】
公知のタイプの録音及び再生システムの他の欠点は、そのコストが必然的に高くなることであり、この高コストは、オーディオトラックの編集のためのステップと音響再生のステップの両方に起因する。実際、オーディオトラックの編集は、専門人員の作業や適切な電気及び／又はソフトウェアデバイスの使用を要求する。これらは大抵高価である。一方で、音響再生は、適切な再生システムの使用を要求し、この再生システムは適切な出力と多数のスピーカが備え、そのコストは高い。
【００１０】
音源のある部屋内のリスナーの知覚に可能な限り忠実な再生を特にイヤホンで聴くうえでの録音の最適化を試みるために、バイノーラルとして知られている録音技術が利用され、この録音技術は、様式化された人の頭の形状や寸法を有するサポートを用い、このサポートは実際の人の頭における音吸収を可能な限り再現するのに適合した材料から作られている。
【００１１】
このサポートは、特に耳介と複数の耳道の形状を忠実に再現し、これら耳道の内端に高精度に模倣した２つのマイクロフォンカートリッジがそれぞれ固定されている。それゆえ、これらマイクロフォンカートリッジは、リスナーの頭にサポートのように配置されているリスナーの鼓膜が聴覚するのと同様にして音を拾う。
【００１２】
しかしながら、公知のタイプの録音技術もまた欠点を有している。まず第１に、再生中に良い結果をもたらすためには、とても高品質のヘッドホンを使用することが必要であり、このヘッドホンはとても高価である。
【００１３】
その上、公知のタイプの技術は、リスナーの前方の音源によって発生された音響の再現には不適切であり、さらに、三次元の音響を知覚するうえで、制限を受ける。
【００１４】
さらにまた、再生中にリスナーによって知覚された音は、録音中にマイクロフォンカートリッジに届いた音をなぞることはできない。なぜなら、このようなカートリッジは、リスナーにとっての音源がリスナーの耳介に配置され且つ耳道の出口に接触したイヤホンにより構成された状態で、鼓膜に届くであろう音を録音するからである。
【先行技術文献】
【特許文献】
【００１５】
【特許文献１】伊国出願第ＴＶ２００７Ａ００００７０号明細書
【発明の概要】
【発明が解決しようとする課題】
【００１６】
本発明の意図は、音を取得し、これを電気信号に変換する装置により、背景技術の欠点を除去して上述の問題を解決することにあり、装置は、リスナーに対し、取得した音の真の三次元の知覚を伝達すべく、その再生を可能にする。
【００１７】
上記の意図のうちで、本発明の目的は、移動している音源から発せさられた音響であるとしても、この音響を収集し、これを電気信号に変換し、音源の実際の移動感覚をリスナーに伝達すべく再生可能な装置を提供することにある。
【００１８】
他の目的は、使用するステレオイヤホンが簡単で、また、比較的に低品質であるとしても、音を収集して、これを電気信号に変換し、リスナーに対して実際の音の三次元性を伝達すべく再生可能な装置を提供することにある。
【００１９】
他の目的は単純な構造で且つ低い製造コストの装置を提供することである。
【課題を解決するための手段】
【００２０】
この目的とこれらの目的は、以下に示されてより明らかになっている他の目的と同じように、少なくとも１つの音響中立体と、該音響中立体と組みをなし、略定型化されたファンネル状に形成されて前記少なくとも１つの音響中立体の外側へ突き出す耳介を形作るとともに管路を有した２つの音響伝播要素と、前記音響伝播要素と組みをなす３極のマイクロフォンカートリッジとを備え、前記カートリッジは、音響を取得する前部が前記管路の入口に近接して配置され、前記マイクロフォンカートリッジ相互の２本のコールド極線が互いに逆にして配線されていることで、一方のマイクロフォンカートリッジのコールド極線と他方のマイクロフォンカートリッジのホット極線及びグランドとは同一のコネクタ又はソケットに接続されているか又は接続可能であり、該コネクタ又はソケットは、適切な増幅及び／又は記憶及び／又は処理装置に接続されているか又は接続可能であることを特徴とする音響変換器によって達成される。
【発明の効果】
【００２１】
さらに、本発明の特徴及び利点は、添付図面に限定されないものとして示された実施例の詳細な説明から明確にされるだろう。
【図面の簡単な説明】
【００２２】
【図１】本発明に係る音響変換器の分解斜視図である。
【図２】図１の音響変換器の正面図である。
【図３】図１の音響変換器の側面図である。
【図４】図３のＩＶ−ＩＶ断面図である。
【図５】図３のＶ−Ｖ線に沿った音響中立体の断面図である。
【図６】２つのマイクロフォンカートリッジの接続状態を示す概略図である。
【図７】音響伝播要素の側面図である。
【図８】図７のＶＩＩＩ−ＶＩＩＩ断面図である。
【図９】図７のＩＸ−ＩＸ断面図である。
【図１０】図７のＸ−Ｘ断面図である。
【発明を実施するための形態】
【００２３】
以下の実施例において、特定の実施例の個々の特徴は、他の実施例の異なる特徴と実際上、置き換えることができる。
さらに、特許を求める過程にて知られた事項は、権利化を求める対象ではないが、権利を放棄した主題でもないことに留意すべきである。
【００２４】
図に関して、参照符号１は音響変換器を示し、この音響変換器は少なくとも１つの音響中立体２を備えている。この音響中立体２は例えばオープンセル型のポリウレタンスポンジゴムのような音響学的に中立な材料で形成されている。
【００２５】
必須ではないが、好ましくは、音響中立体２は多面体形状をなし、この多面体形状は適当に縁が面取りされたほぼ平行六面体であって、その幅は人の頭の耳領域に近い部位の平均幅とほぼ同じであると有利である。
音響中立体２は鏡対称の２つの分割半体で構成してもよい。
【００２６】
音響中立体２の両側面には必ずでもないが、好ましくは２つの略円筒形の座４ａ及び４ｂが備えられている。これら座４ａ及び４ｂは同一の長手軸線に沿って配置されていることが好ましい。それゆえ、添付図に示された例では、座４ａ及び４ｂは音響中立体２の互いに平行な２つ側面を始端とし、これら側面は、参照符号３ａ及び３ｂで示されている。
【００２７】
必須ではないが、好適には、添付図に示される実施例のケースでは、２つの座４ａ及び４ｂは単一の第１通路５を介して互いに接続されていて、この第１通路５は、音響中立体２を軸線方向に貫通している。
【００２８】
音響中立体２には１つ以上の貫通路６ａや６ｂが横切って付加的に設けられており、これら貫通路６ａ，６ｂは、必須ではないが好ましくは、第１通路５に対して直交する軸線に沿って形成され、そして、第１通路５に、好ましくは第１通路５の中央域の近くに連通している。
【００２９】
音響中立体２は、正面側から入る音をその側面域に案内するような手段を有していれば有利であり、このような手段は２つの通路７ａ及び７ｂによって構成される。これら通路７ａ及び７ｂは音響中立体２の正面８から始まって、音響中立体２を横断し、側面３ａ及び３ｂのそれぞれ、好ましくは座４ａ及び４ｂの近くに続いていれば有利である。
【００３０】
好適には、音響中立体２の側面に備えられた２つの座４ａ及び４ｂのそれぞれに２つの音響伝播要素を組合せることができる。これら音響伝播要素は参照符号９ａ及び９ｂで示され、互いに鏡対称にして配置されていることが好都合である。
【００３１】
好ましくは、２つの音響伝播要素９ａ及び９ｂは定型化されたほぼファンネル形状をなし、耳介１０ａ，１０ｂを形成している。これら耳介１０ａ,１０ｂは使用中において、音響中立体２の外側にはみ出している。
【００３２】
必須ではないが好適には、２つの音響伝播要素９ａ及び９ｂは２パートシリコーン、例えば５０％のタイプのＲＴＶ４０２８Ａ＋ＢであるＲＨＯＤＯＲＳＩＬ（商標）で知られているものから形成されている。
【００３３】
添付図で示される実施例において、好適には、音響伝播要素９ａ及び９ｂはほぼ定型の外耳のようにほぼ形作られている。それゆえ、必須ではないものの有利なものとして、耳介は、人の外耳の耳介から始まり、例えば耳たぶ１１の長さを増加したり、耳輪１２および対耳輪１３の領域を上方へ延ばすべく、その寸法を適切且つ選択的に増加させて得られる形状を有する。
【００３４】
添付図に示される実施例では、好ましくは、耳介１０ａ及び１０ｂの耳たぶ１１はそれぞれの耳介１０ａ及び１０ｂの縦方向の長さの約３分の１の長さであり耳輪１２および対耳輪１３は適切な涙型の形状を有している。
【００３５】
好適には、図８，９，１０から特にわかるように、使用中に音響中立体２の外側を向く耳介１０ａ及び１０ｂの内壁１４は、複数の隣接する複数の凹面および凸面によって構成され、これら凹面および凸面は耳介１０ａ及び１０ｂの外周領域から底部へ音響を伝播させる。
【００３６】
さらに、耳介１０ａ及び１０ｂの内壁１４の形状は、音響の調和的かつ反響的なマイクロ反射を高めるうえで寄与し、これは、前述した凹面および凸面との衝突による音響の連続した反射および回折によってもたらされる。前述した調和的かつ反響的なマイクロ反射は、空間的な関係が完全な音響の取り込みを可能にし、聴取するときにリスナーの脳は無意識にして真の三次元音響の知覚を復元することができる。
【００３７】
さらに、耳介１０ａ及び１０ｂの長い形状は、人の耳が検出できない高い周波数の音や超音波の音の伝播もまた可能とする。
耳介１０ａ及び１０ｂの外壁１５からは基部１６が突き出し、この基部１６は、使用中、音響中立体２に向けられている。この基部１６は平坦面１７を有し、この平坦面１７は使用中、音響中立体２に向けられている。平担面１７からは、管状体１８がほぼ直角に突き出し、この管状体１８は、横断面でみて、座４ａ，４ｂに対してほぼ相補的に形作られている。これにより、管状体１８は座の１つに、好ましくは押し入れることより、挿入され、そして固定される。添付図に示された例において、管状体１８は円筒形であるのが好都合である。
【００３８】
好適には、耳介１０ａ及び１０ｂの底からは管路１９ａ及び１９ｂがそれぞれ延び、これら管路１９ａ及び１９ｂは好ましくは円筒形であり、基部１６および各音響伝播要素９ａ，９ｂの管状体１８の軸線方向にそれぞれ貫通している。
【００３９】
音響伝播要素９ａ及び９ｂと人の外耳との類似関係において、管路１９ａ及び１９ｂはおよそ耳道に対応している。
【００４０】
必須ではないが、有利なものとして、２つの音響伝播要素９ａ及び９ｂは適当な連結手段で相互に連結されており、この連結手段は、添付図に示される実施例では、リング２０で構成されている。好ましくは、このリング２０は音を吸収しない材料で形成されており、この材料は例えばＡＶＩＯＮＡＬ（商標）又はＡＮＴＩＣＯＲＯＤＡＬ（商標）で知られているアルミニウム合金等である。
【００４１】
好適には、リング２０は、音響中立体２における側面３ａ及び３ｂ、正面８および後面２１を囲んで配置されるべく形作られている。
【００４２】
好適には、リング２０には、２つの第１孔２２ａ，２２ｂがあり、これら第１孔２２ａ，２２ｂは使用中、音響中立体２に備えられた座４ａ及び４ｂに対して対向する位置に設けられ、第１孔２２ａ及び２２ｂは、音響伝播達要素９ａ，９ｂにおける管状体１８の隣接する座４ａ及び４ｂにアクセス可能な寸法及び形状を有している。
【００４３】
好適には、リング２０には２つの第２孔２３ａ，２３ｂが設けられ、これら第２孔２３ａ，２３ｂは、使用中、音響中立体２の側面３ａ及び３ｂに設けられた通路７ａ及び７ｂの出口と対向するように位置付けられ、そして、第２孔２３ａ，２３ｂは前記通路７ａ及び７ｂの出口よりも大きいか又は同じくらいの寸法を有している。
【００４４】
好適には、リング２０には２つの第３孔２４ａ，２４ｂが設けられ、これら第３孔２４ａ，２４ｂは、使用中、音響中立体２の正面８に設けられた通路７ａ及び７ｂの入口に対向するように位置付けられている。好適には、第３孔２４ａ，２４ｂは前記入口よりも大きいか又は同じくらいの寸法を有している。
【００４５】
好適には、リング２０は、使用中、前記音響伝播要素９ａ及び９ｂにおける基部１６の平坦面１７と音響中立体２の側面３ａ，３ｂとの間に挟み込まれている。
【００４６】
好適には、音響伝播要素９ａ及び９ｂの管路１９ａ及び１９ｂ内にマイクロフォンカートリッジ２５ａ，２５ｂがそれぞれ配置され、これらマイクロフォンカートリッジ２５ａ，２５ｂは参照符号２６ａ及び２６ｂで示された前部を備え、これら前部は、耳介１０ａ及び１０ｂの底に設けられた管路１９ａ及び１９ｂのほぼ入口にて、音響を取得するものとなっている。
【００４７】
それ故、前部２６ａ及び２６ｂは管路１９ａ，１９ｂの入口に近接して位置付けられているか、又は、これらの位置は耳介１０ａ，１０ｂの内方へ部分的に移されている。
【００４８】
好適には、マイクロフォンカートリッジ２５ａ及び２５ｂはカージオイドタイプの極パターンを有している。
【００４９】
マイクロフォンカートリッジ２５ａ及び２５ｂは３極型であり、「ファントム」として知られている方式で電源の供給を受ける。よって、各マイクロフォンカートリッジ２５ａ及び２５ｂからは３極ケーブル２７ａ，２７ｂが出ていて、これらケーブルは「ホット極線」として知られている第１線２８ａ，２８ｂと、「コールド極線」として知られている第２線２９ａ，２９ｂと、「グランド」として知られている第３アース線３０ａ，３０ｂとをそれぞれ備えている。
【００５０】
好適には、３極ケーブル２７ａ及び２７ｂは、第２通路６ａ，６ｂを通って音響中立体２から出ていて、これら３極ケーブル２７ａ及び２７ｂは例えば、添付図には示さないが、マイクロフォンカートリッジ２５ａ及び２５ｂのための適当な電源手段を有するアンプ、ミキサー、録音機器又はコンピュータ等に接続可能である。
【００５１】
好適には、図６に概略的に示されているように、本発明の音響変換器では、マイクロフォンカートリッジ２５ａ及び２５ｂの２本のコールド極線２９ａ及び２９ｂが互いに逆に配線されている。
【００５２】
換言すれば、マイクロフォンカートリッジ２５ａのコールド極線２９ａは、コネクタ又はソケットに接続され、このコネクタ又はソケットは図６にて参照符号３１ｂで概略的に示されている。このコネクタ又はソケット３１ｂは、添付図には示さないが、適当な収集及び／又は記憶及び／又は増幅及び／又は処理装置に接続されているか又は接続可能であり、コネクタ又はソケット３１ｂにはマイクロフォンカートリッジ２５ｂのホット極線２８ｂおよびグランド３０ｂが接続されている。逆もまた同様に、マイクロフォンカートリッジ２５ｂのコールド極線２９ｂは同様なコネクタ又はソケット３１ａに接続されていて、このコネクタ又はソケット３１ａにマイクロフォンカートリッジ２５ａのホット極線２８ａ及びグランド３０ａが接続されている。
【００５３】
それゆえ、本発明の利用法は以下に示すとおりである。
添付図を参照すれば、３極ケーブル２７ａ及び２７ｂは上述したようにして２つのコネクタ又はソケット３１ａ，３１ｂに接続され、これらのコネクタ又はソケットは、例えば収集及び／又は記憶及び／又は増幅及び／又は処理装置に接続され、これらの装置は、添付図に図示はしないが、例えば録音機器、コンピュータ又はミキサーである。
【００５４】
移動可能な音源に対し、選択した位置に前記音響変換器１を配置することにより、音源から生じた音響は、２つの耳介１０ａ及び１０ｂに衝突し、そして、これら耳介１０ａ及び１０ｂによってマイクロフォンカートリッジ２５ａ及び２５ｂへと伝播される。
【００５５】
音響中立体２の正面８に衝突する音響は第３通路７ａ及び７ｂに入り、そして、音響中立体２の側面３ａ，３ｂにて、第３通路７ａ及び７ｂから出る。これにより、音響は耳介１０ａ及び１０ｂによって集められ、マイクロフォンカートリッジ２５ａ及び２５ｂに伝播される。
【００５６】
したがって、このようにして耳介１０ａ及び１０ｂを介して伝播された音響がマイクロフォンカートリッジ２５ａ及び２５ｂによって電気信号へと変換され、マイクロフォンカートリッジ２５ａ及び２５ｂは３極ケーブル２７ａ及び２７ｂを介して電気信号を収集及び／又は記憶及び／又は増幅及び／又は処理装置に伝達する。このような装置は電気信号を適切に、記憶、及び／又は再生、及び／又は処理するものであり、これにより、２つのシンプルなステレオイヤホンを備えているだけでも、音響の再生が可能となる。
【００５７】
音響変換器１に特有な構成は、特にリスナーがステレオイヤホンを使用するならば、実際の音源によって発生される正確な感覚をリスナー内にて創出可能とする全ての情報を含むべく、音響の取得並びに、収集及び／又は記憶及び／又は増幅及び／又は処理装置への取得した音響の伝達を可能とする。
【００５８】
したがって、本発明がその意図および目的を達成し、実際の三次元の音響の感覚をリスナーに伝達すべく音響の再生を可能とするため、本発明の音響変換器には音響の取得や、その電気信号への変換を可能にする工夫がなされているものと確認される。
【００５９】
さらに、本発明に係る音響変換器は、移動している音源から発生された音響を取得し、これを電気信号に変換可能であり、この電気信号は２つのシンプルなスピーカによって音源が実際に動く感覚をリスナーに伝達すべく再生可能である。
【００６０】
加えて、本発明に係る音響変換器は、シンプルなステレオイヤホンを使用し、しかも、ステレオイヤホンが低品質であるとしても、音響を取得して、これを電気信号に変換可能であり、この電気信号は、実際の三次元の音響をリスナーに伝達すべく再生可能である。
【００６１】
さらに、本発明に係る音響変換器は、製造及び／又は組立が容易な構成要素のみによって提供されるので、その製造コストは安価なままとなる。
【００６２】
本発明は、もちろん添付した請求の範囲内にて、種々の変更および変形が可能である。
【００６３】
本発明の個々の構成要素に使用される材料は、構成要素の寸法とともに、特定条件に従いより適切なものとすることができる。
【００６４】
異なる機能を実行する種々の手段は、図示の実施例に明確に共存する必要がないが、図示されていないものを含む幾つかの実施例には存在している。
【００６５】
好適且つ有利なものとして示された特徴部分は、省略してもよいし、また、等価なものに置き換えてもよい。
【００６６】
本願が優先権を主張するイタリア特許出願Ｎｏ．ＴＶ２００７Ａ００００７０中の開示は、本願明細書に参照して組み入れられる。
【００６７】
請求項に記載の技術的特徴は参照符号が付加されているが、これらの参照符号は請求項の理解を容易にするためのみに含まれているだけであり、その参照符号で示された要素の解釈を何ら限定するものではない。
【符号の説明】
【００６８】
１  音響変換器
２  音響中立体
９ａ，９ｂ  音響伝播要素
１０ａ，１０ｂ  耳介
１９ａ，１９ｂ  管路
２５ａ，２５ｂ  マイクロフォンカートリッジ
２８ａ，２８ｂ  ホット極線
２９ａ，２９ｂ  コールド極線
３０ａ，３０ｂ  グランド
３１ａ，３１ｂ  コネクタ又はソケット
【図１】
2010525645.tif 000003
【図２】
2010525645.tif 000004
【図３】
2010525645.tif 000005
【図４】
2010525645.tif 000006
【図５】
2010525645.tif 000007
【図６】
2010525645.tif 000008
【図７】
2010525645.tif 000009
【図８】
2010525645.tif 000010
【図９】
2010525645.tif 000011
【図１０】
2010525645.tif 000012
【国際調査報告】
2010525645.tif 000013
2010525645.tif 000014